(57)【要約】【課題】現場での作業時間を短縮することができる橋桁の架設方法、撤去方法、およびその方法に用いる橋桁工事用装置を提供する。【解決手段】梁部３２と一対の脚部３４Ａ，３４Ｂとローラ３５とトロリー３８とを有し、門形をなす架設装置３０と、回転支持台２０と、運搬台車１０と、を備える橋桁工事用装置１を用いる方法であって、梁部３２が運搬方向に沿って延びる向きで回転支持台２０に支持された架設装置３０を運搬台車１０によって作業現場まで搬入する搬入工程と、回転支持台２０を回転させることで回転支持台２０に支持された架設装置３０の梁部３２を運搬方向と直交する方向きとする回転工程と、脚部３４Ａ，３４Ｂを伸ばしてローラ３５を設置させる設置工程と、梁部３２と回転支持台２０との間を離間させる離間工程と、架設する橋桁Ｇをトロリー３８に吊り下げる吊り下げ工程と、架設する橋桁Ｇをトロリー３８から取り外す取り外し工程とを備える。【選択図】図１
2014190107.tif 000002
【特許請求の範囲】
【請求項１】
梁状に延びる梁部と、該梁部から下方に延びる一対の脚部と、該一対の脚部の下端に設けられた設置部と、前記梁部から下方に延びるとともに橋桁を吊り下げ可能な吊り下げ部と、を有し、前記梁部と前記一対の脚部とによって門形をなす架設装置と、上下方向に沿った軸周りに回転可能とされ、前記一対の脚部が下方に延びた状態で前記梁部が載置されることで前記架設装置を支持する回転支持機構と、前記回転支持機構に支持された前記架設装置のうち少なくとも前記設置部を上下方向に昇降させる昇降機構と、前記回転支持機構に支持された前記架設装置を運搬可能な運搬機構と、を備える橋桁工事用装置を用いて架設位置に橋桁を架設する方法であって、
前記梁部が前記運搬機構の運搬方向に沿って延びる向きとされた状態で前記回転支持機構に支持された前記架設装置を前記運搬機構によって作業現場まで搬入する搬入工程と、
前記搬入工程の後に、前記回転支持機構を回転させることで該回転支持機構に支持された前記架設装置の前記梁部を前記運搬機構の運搬方向と直交する方向に延びる向きとする回転工程と、
前記回転工程の後に、前記昇降機構によって前記設置部を設置させる設置工程と、
前記設置工程の後に、前記昇降機構によって前記梁部と前記回転支持機構との間を離間させる離間工程と、
前記離間工程の後に、架設する前記橋桁を前記吊り下げ部に吊り下げる吊り下げ工程と、
前記吊り下げ工程の後に、架設する前記橋桁を前記吊り下げ部から取り外す取り外し工程と、
を備える橋桁の架設方法。
【請求項２】
前記設置部がローラとされた前記架設装置を備える前記橋桁工事用装置を用いた請求項１に記載の橋桁の架設方法であって、
前記設置工程では、前記運搬機構の運搬方向に沿って敷設された仮設レール上に前記ローラを設置することで、前記設置された前記架設装置を前記ローラによって前記仮設レール上で移動可能とする、橋桁の架設方法。
【請求項３】
前記梁部上に配され、該梁部の延びる方向に沿って前記吊り下げ部を移動可能とする吊り下げ部移動機構を有する前記架設装置を備える前記橋桁工事用装置を用いた請求項１または請求項２に記載の橋桁の架設方法であって、
前記離間工程の後に、前記吊り下げ部移動機構を可動させて前記吊り下げ部を前記運搬機構の側方に移動させる、吊り下げ部移動工程をさらに備える、橋桁の架設方法。
【請求項４】
前記一対の脚部が上下方向に伸縮する機構とされた前記昇降機構を備える前記橋桁工事用装置を用いた請求項１から請求項３のいずれか１項に記載の橋桁の架設方法。
【請求項５】
梁状に延びる梁部と、該梁部の両端から下方に延びる一対の脚部と、該一対の脚部の下端に設けられた設置部と、前記梁部から下方に延びるとともに橋桁を吊り下げ可能な吊り下げ部と、を有し、前記梁部と前記一対の脚部とによって門形をなす架設装置と、上下方向に沿った軸周りに回転可能とされ、前記一対の脚部が下方に延びた状態で前記梁部が載置されることで前記架設装置を支持する回転支持機構と、前記回転支持機構に支持された前記架設装置のうち少なくとも前記設置部を上下方向に昇降させる昇降機構と、前記回転支持機構に支持された前記架設装置を運搬可能な運搬機構と、を備える橋桁工事用装置を用いて撤去位置から橋桁を撤去する方法であって、
前記梁部が前記運搬機構の運搬方向に沿って延びる向きとされた状態で前記回転支持機構に支持された前記架設装置を前記運搬機構によって作業現場まで搬入する搬入工程と、
前記搬入工程の後に、前記回転支持機構を回転させることで該回転支持機構に支持された前記架設装置の前記梁部を前記運搬機構の運搬方向と直交する方向に延びる向きとする回転工程と、
前記回転工程の後に、前記昇降機構によって前記設置部を設置させる設置工程と、
前記設置工程の後に、前記昇降機構によって前記梁部と前記回転支持機構との間を離間させる離間工程と、
前記離間工程の後に、前記吊り下げ部に撤去する前記橋桁を吊り下げる吊り下げ工程と、
前記吊り下げ工程の後に、前記吊り下げ部から撤去する前記橋桁を取り外す取り外し工程と、
を備える橋桁の撤去方法。
【請求項６】
前記設置部がローラとされた前記架設装置を備える前記橋桁工事用装置を用いた請求項５に記載の橋桁の撤去方法であって、
前記設置工程では、前記運搬機構の運搬方向に沿って敷設された仮設レール上に前記ローラを設置することで、前記設置された前記架設装置を前記ローラによって前記仮設レール上で移動可能とする、橋桁の架設方法。
【請求項７】
前記梁部上に配され、該梁部の延びる方向に沿って前記吊り下げ部を移動可能とする吊り下げ部移動機構を有する前記架設装置を備える前記橋桁工事用装置を用いた請求項５または請求項６に記載の橋桁の撤去方法であって、
前記吊り下げ工程の後に、前記吊り下げ部移動機構を可動させて前記吊り下げ部を前記運搬機構の側方に移動させる、吊り下げ部移動工程をさらに備える、橋桁の撤去方法。
【請求項８】
前記一対の脚部が上下方向に伸縮する機構とされた前記昇降機構を備える前記橋桁工事用装置を用いた請求項５から請求項７のいずれか１項に記載の橋桁の架設方法。
【請求項９】
梁状に延びる梁部と、該梁部の両端から下方に延びる一対の脚部と、該一対の脚部の下端に設けられた設置部と、前記梁部から下方に延びるとともに橋桁を吊り下げ可能な吊り下げ部と、を有し、前記梁部と前記一対の脚部とによって門形をなす架設装置と、
上下方向に沿った軸周りに回転可能とされ、前記一対の脚部が下方に延びた状態で前記梁部が載置されることで前記架設装置を支持する回転支持機構と、
前記回転支持機構に支持された前記架設装置のうち少なくとも前記設置部を上下方向に昇降させる昇降機構と、
前記回転支持機構に支持された前記架設装置を縦方向に運搬可能な運搬機構と、を備える橋桁工事用装置。
【請求項１０】
前記設置部はローラとされ、前記運搬機構の運搬方向に沿って敷設された仮設レール上に前記ローラを設置することで、前記設置された前記架設装置を前記仮設レール上で移動可能とされている、請求項９に記載の橋桁工事用装置。
【請求項１１】
前記架設装置は、前記梁部上に配され、該梁部に沿って前記吊り下げ部を移動可能とする吊り下げ部移動機構を有する、請求項９または請求項１０に記載の橋桁工事用装置。
【請求項１２】
前記昇降機構は、前記一対の脚部が上下方向に伸縮する機構である、請求項９から請求項１１のいずれか１項に記載の橋桁工事用装置。
【発明の詳細な説明】
【技術分野】
【０００１】
本発明は、橋桁の架設方法、撤去方法、および橋桁工事用装置に関する。
【背景技術】
【０００２】
工場から輸送された橋桁を現場で設置する架設工法の一種として、橋桁を架設する架設位置またはその近くに橋桁を積載した橋桁工事用装置を搬入して設置することで、その橋桁工事用装置を用いて架設位置に橋桁を設置する工法が知られている（例えば特許文献１）。
【先行技術文献】
【特許文献】
【０００３】
【特許文献１】特開２００７−１４６４４３号公報
【発明の概要】
【発明が解決しようとする課題】
【０００４】
しかしながら、上記のような橋桁を積載した橋桁工事用装置を用いた橋桁の架設作業や撤去作業において、複数の橋桁を架設または撤去する場合、橋桁を架設または撤去するごとに橋桁工事用装置を搬入および設置しなければならなかった。このため、複数の橋桁を架設または撤去するために作業時間が長くなることがあった。
【０００５】
本明細書で開示される技術は、上記の課題に鑑みて創作されたものである。本明細書で開示される技術では、現場での作業時間を短縮することができる橋桁の架設方法、撤去方法、およびその方法に用いる橋桁工事用装置を提供することを目的とする。
【課題を解決するための手段】
【０００６】
本明細書で開示される技術は、梁状に延びる梁部と、該梁部から下方に延びる一対の脚部と、該一対の脚部の下端に設けられた設置部と、前記梁部から下方に延びるとともに橋桁を吊り下げ可能な吊り下げ部と、を有し、前記梁部と前記一対の脚部とによって門形をなす架設装置と、上下方向に沿った軸周りに回転可能とされ、前記一対の脚部が下方に延びた状態で前記梁部が載置されることで前記架設装置を支持する回転支持機構と、前記回転支持機構に支持された前記架設装置のうち少なくとも前記設置部を上下方向に昇降させる昇降機構と、前記回転支持機構に支持された前記架設装置を運搬可能な運搬機構と、を備える橋桁工事用装置を用いて架設位置に橋桁を架設する方法であって、前記梁部が前記運搬機構の運搬方向に沿って延びる向きとされた状態で前記回転支持機構に支持された前記架設装置を前記運搬機構によって作業現場まで搬入する搬入工程と、前記搬入工程の後に、前記回転支持機構を回転させることで該回転支持機構に支持された前記架設装置の前記梁部を前記運搬機構の運搬方向と直交する方向に延びる向きとする回転工程と、前記回転工程の後に、前記昇降機構によって前記設置部を設置させる設置工程と、前記設置工程の後に、前記昇降機構によって前記梁部と前記回転支持機構との間を離間させる離間工程と、前記離間工程の後に、架設する前記橋桁を前記吊り下げ部に吊り下げる吊り下げ工程と、前記吊り下げ工程の後に、架設する前記橋桁を前記吊り下げ部から取り外す取り外し工程と、を備える橋桁の架設方法に関する。
【０００７】
上記の橋桁の架設方法では、橋桁工事用装置を用いて門形の架設装置を設置することで、門形の架設装置の直下に運搬機構を搬入することができる。これにより、設置された架設装置の直下に橋桁等を積載した運搬機構を複数回搬入させることができ、橋桁工事用装置を用いて架設装置を一旦設置するのみで、その架設装置によって複数の橋桁を架設することができる。その結果、橋桁の架設作業に伴う作業時間を短縮することができる。さらに、上記の橋桁の架設方法では、架設装置を運搬機構によって作業現場まで搬入する際には、梁部が運搬機構の運搬方向に沿って延びる向きとされた状態で架設装置が搬入される。そして、架設装置を設置する際には、回転支持機構を回転させることで、積載された架設装置の梁部を運搬機構の運搬方向と直交する方向に延びる向きとし、その後、昇降機構によって架設装置を設置する。このため、門形とされた架設装置を運搬機構によって作業現場まで搬入する際に、架設装置の側方や下方が他の障害物と接触し難いものとなる。その結果、架設装置の運搬を容易に行うことができ、架設装置の運搬作業に伴う作業時間を短縮することもできる。以上のように、上記の橋桁の架設方法では、橋桁工事用装置を用いて門形の架設装置を設置することで、現場での作業時間を短縮することが可能となる。
【０００８】
前記設置部がローラとされた前記架設装置を備える前記橋桁工事用装置を用いた請求項１に記載の橋桁の架設方法であって、前記設置工程では、前記運搬機構の運搬方向に沿って敷設された仮設レール上に前記ローラを設置することで、前記設置された前記架設装置を前記ローラによって前記仮設レール上で移動可能としてもよい。
【０００９】
この架設方法によると、設置された架設装置の吊り下げ部に橋桁を吊り下げた状態で、その架設装置を仮設レールに沿って移動させることができる。このため、例えば単線とされたレール上に橋桁を架設する場合であっても、複数の橋桁を架設する作業を効率的に行うことができる。これにより、現場での作業時間を一層短縮することができる。
【００１０】
前記梁部上に配され、該梁部の延びる方向に沿って前記吊り下げ部を移動可能とする吊り下げ部移動機構を有する前記架設装置を備える前記橋桁工事用装置を用いた上記橋桁の架設方法であって、前記離間工程の後に、前記吊り下げ部移動機構を可動させて前記吊り下げ部を前記運搬機構の側方に移動させる、吊り下げ部移動工程をさらに備えてもよい。
【００１１】
この架設方法によると、設置された架設装置の吊り下げ部に橋桁を吊り下げた状態で、その吊り下げられた橋桁を吊り下げ部移動機構によって側方に移動させることができる。このため、例えば複線とされたレール上に橋桁を架設する場合であっても、複数の橋桁を架設する作業を効率的に行うことができる。これにより、現場での作業時間を一層短縮することができる。
【００１２】
上記橋桁の架設方法では、前記一対の脚部が上下方向に伸縮する機構とされた前記昇降機構を備える前記橋桁工事用装置を用いてもよい。
【００１３】
この架設方法によると、一対の脚部の伸びる長さを調節することで、梁部を運搬機構に積載された回転支持機構の上面よりも高いものとすることができる。これにより、例えば、運搬機構に積載された回転支持機構の上面よりも高い高さとされた他の運搬機構を門形の架設装置の下に通過させることができる。その結果、橋桁の架設作業を一層効率的に行うことができ、現場での作業時間を一層短縮することができる。
【００１４】
本明細書で開示される他の技術は、梁状に延びる梁部と、該梁部の両端から下方に延びる一対の脚部と、該一対の脚部の下端に設けられた設置部と、前記梁部から下方に延びるとともに橋桁を吊り下げ可能な吊り下げ部と、を有し、前記梁部と前記一対の脚部とによって門形をなす架設装置と、上下方向に沿った軸周りに回転可能とされ、前記一対の脚部が下方に延びた状態で前記梁部が載置されることで前記架設装置を支持する回転支持機構と、前記回転支持機構に支持された前記架設装置のうち少なくとも前記設置部を上下方向に昇降させる昇降機構と、前記回転支持機構に支持された前記架設装置を運搬可能な運搬機構と、を備える橋桁工事用装置を用いて撤去位置から橋桁を撤去する方法であって、前記梁部が前記運搬機構の運搬方向に沿って延びる向きとされた状態で前記回転支持機構に支持された前記架設装置を前記運搬機構によって作業現場まで搬入する搬入工程と、前記搬入工程の後に、前記回転支持機構を回転させることで該回転支持機構に支持された前記架設装置の前記梁部を前記運搬機構の運搬方向と直交する方向に延びる向きとする回転工程と、前記回転工程の後に、前記昇降機構によって前記設置部を設置させる設置工程と、前記設置工程の後に、前記昇降機構によって前記梁部と前記回転支持機構との間を離間させる離間工程と、前記離間工程の後に、前記吊り下げ部に撤去する前記橋桁を吊り下げる吊り下げ工程と、前記吊り下げ工程の後に、前記吊り下げ部から撤去する前記橋桁を取り外す取り外し工程と、を備える橋桁の撤去方法に関する。
【００１５】
上記の橋桁の撤去方法では、橋桁工事用装置を用いて門形の架設装置を設置することで、門形の架設装置の直下に運搬機構を搬入することができる。これにより、設置された架設装置の直下に撤去した橋桁等を搭載するために運搬機構を複数回搬入させることができ、橋桁工事用装置を用いて架設装置を一旦設置するのみで、その架設装置によって複数の橋桁を撤去することができる。その結果、橋桁の撤去作業に伴う作業時間を短縮することができる。さらに、上記の橋桁の撤去方法では、架設装置を運搬機構によって作業現場まで搬入する際には、梁部が運搬機構の運搬方向に沿って延びる向きとされた状態で搬入される。そして、架設装置を設置する際には、回転支持機構を回転させることで、積載された架設装置の梁部を運搬機構の運搬方向と直交する方向に延びる向きとし、その後、昇降機構によって架設装置を設置する。このため、門形とされた架設装置を運搬機構によって作業現場まで搬入する際に、架設装置の側方や下方が他の障害物と接触し難いものとなる。その結果、架設装置の運搬を容易に行うことができ、架設装置の運搬作業に伴う作業時間を短縮することもできる。以上のように、上記の橋桁の撤去方法では、橋桁工事用装置を用いて門形の架設装置を設置することで、現場での作業時間を短縮することが可能となる。
【００１６】
前記設置部がローラとされた前記架設装置を備える前記橋桁工事用装置を用いた上記橋桁の撤去方法であって、前記設置工程では、前記運搬機構の運搬方向に沿って敷設された仮設レール上に前記ローラを設置することで、前記設置された前記架設装置を前記ローラによって前記仮設レール上で移動可能としてもよい。
【００１７】
この撤去方法によると、設置された架設装置の吊り下げ部に橋桁を吊り下げた状態で、その架設装置を仮設レールに沿って移動させることができる。このため、例えば単線とされたレール上から橋桁を撤去する場合であっても、複数の橋桁を撤去する作業を効率的に行うことができる。これにより、現場での作業時間を一層短縮することができる。
【００１８】
前記梁部上に配され、該梁部の延びる方向に沿って前記吊り下げ部を移動可能とする吊り下げ部移動機構を有する前記架設装置を備える前記橋桁工事用装置を用いた上記橋桁の撤去方法であって、前記吊り下げ工程の後に、前記吊り下げ部移動機構を可動させて前記吊り下げ部を前記運搬機構の側方に移動させる、吊り下げ部移動工程をさらに備えてもよい。
【００１９】
この撤去方法によると、設置された架設装置の吊り下げ部に橋桁を吊り下げた状態で、その吊り下げられた橋桁を吊り下げ部移動機構によって側方に移動させることができる。このため、例えば複線とされたレール上から橋桁を撤去する場合であっても、複数の橋桁を撤去する作業を効率的に行うことができる。これにより、現場での作業時間を一層短縮することができる。
【００２０】
上記橋桁の撤去方法では、前記一対の脚部が上下方向に伸縮する機構とされた前記昇降機構を備える前記橋桁工事用装置を用いてもよい。
【００２１】
この撤去方法によると、一対の脚部の伸びる長さを調節することで、梁部を運搬機構に積載された回転支持機構の上面よりも高いものとすることができる。これにより、例えば、運搬機構に積載された回転支持機構の上面よりも高い高さとされた他の運搬機構を門形の架設装置の下に通過させることができる。その結果、橋桁の撤去作業を一層効率的に行うことができ、現場での作業時間を一層短縮することができる。
【００２２】
本明細書で開示される他の技術は、梁状に延びる梁部と、該梁部の両端から下方に延びる一対の脚部と、該一対の脚部の下端に設けられた設置部と、前記梁部から下方に延びるとともに橋桁を吊り下げ可能な吊り下げ部と、を有し、前記梁部と前記一対の脚部とによって門形をなす架設装置と、上下方向に沿った軸周りに回転可能とされ、前記一対の脚部が下方に延びた状態で前記梁部が載置されることで前記架設装置を支持する回転支持機構と、前記回転支持機構に支持された前記架設装置のうち少なくとも前記設置部を上下方向に昇降させる昇降機構と、前記回転支持機構に支持された前記架設装置を縦方向に運搬可能な運搬機構と、を備える橋桁工事用装置に関する。
【００２３】
上記の橋桁工事用装置によると、運搬機構によって門形の架設装置を作業まで搬入し、その架設装置を設置することができる。そして、設置された門形の架設装置の直下に運搬機構を搬入することができる。これにより、設置された架設装置の直下に橋桁等を積載した運搬機構を複数回搬入させることができ、架設装置を一旦設置するのみで、その架設装置によって複数の橋桁を架設または撤去することができる。その結果、橋桁の架設作業または撤去作業に伴う作業時間を短縮することができる。さらに、上記の橋桁工事用装置では、架設装置を運搬機構によって搬入する際に、梁部が運搬機構の運搬方向に沿って延びる向きとされた状態で運搬することができる。そして、架設装置を設置する際に、回転支持機構を回転させることで、積載された架設装置の梁部を運搬機構の運搬方向と直交する方向に延びる向きとすることができる。その後、昇降機構によって架設装置を設置することができる。このため、門形とされた架設装置を運搬機構によって作業現場まで搬入する際に、架設装置の側方や下方が他の障害物と接触し難いものとなる。その結果、架設装置の運搬を容易に行うことができ、架設装置の運搬作業に伴う作業時間を短縮することもできる。以上のように、上記の橋桁工事用装置では、門形の架設装置を設置することで、現場での作業時間を短縮することが可能となる。
【００２４】
前記設置部はローラとされ、前記運搬機構の運搬方向に沿って敷設された仮設レール上に前記ローラを設置することで、前記設置された前記架設装置を前記仮設レール上で移動可能とされていてもよい。
【００２５】
この構成によると、設置された架設装置の吊り下げ部に橋桁を吊り下げた状態で、その架設装置を仮設レールに沿って移動させることができる。このため、例えば単線とされたレール上に橋桁を架設する場合や単線とされたレール上から橋桁を撤去する場合であっても、複数の橋桁を架設または撤去する作業を効率的に行うことができる。これにより、現場での作業時間を一層短縮することができる。
【００２６】
前記架設装置は、前記梁部上に配され、該梁部に沿って前記吊り下げ部を移動可能とする吊り下げ部移動機構を有してもよい。
【００２７】
この構成によると、設置された架設装置の吊り下げ部に橋桁を吊り下げた状態で、その吊り下げられた橋桁を吊り下げ部移動機構によって側方に移動させることができる。このため、例えば複線とされたレール上に橋桁を架設する場合や複線とされたレール上から橋桁を撤去する場合であっても、複数の橋桁を架設または撤去する作業を効率的に行うことができる。これにより、現場での作業時間を一層短縮することができる。
【００２８】
前記昇降機構は、前記一対の脚部が上下方向に伸縮する機構であってもよい。
【００２９】
この構成によると、一対の脚部の伸びる長さを調節することで、梁部を運搬機構に積載された回転支持機構の上面よりも高いものとすることができる。これにより、例えば、運搬機構に積載された回転支持機構の上面よりも高い高さとされた他の運搬機構を門形の架設装置の下に通過させることができる。その結果、橋桁の架設作業または撤去作業を一層効率的に行うことができ、現場での作業時間を一層短縮することができる。
【発明の効果】
【００３０】
本明細書で開示される技術によれば、現場での作業時間を短縮することができる橋桁の架設方法、撤去方法、およびその方法に用いる橋桁工事用装置を提供することができる。
【図面の簡単な説明】
【００３１】
【図１】実施形態１に係る搬入工程を表す側面図
【図２】図１の状態を上から視た平面図
【図３】図１の状態を後方から視た背面図
【図４】回転工程を表す側面図
【図５】図４の状態を上から視た平面図
【図６】図４の状態を後方から視た背面図
【図７】設置工程を表す背面図
【図８】離間工程を表す背面図
【図９】吊り下げ工程を表す平面図
【図１０】吊り下げ工程を表す背面図
【図１１】取り外し工程を表す平面図
【図１２】吊り下げ工程の他の例を表す平面図
【図１３】実施形態２に係る搬入工程を表す側面図
【図１４】回転工程を表す側面図
【図１５】取り外し工程を表す背面図
【図１６】実施形態３において大型橋桁を搬入する工程を表す側面図
【図１７】吊り下げ工程を表す側面図
【図１８】取り外し工程を表す側面図
【図１９】実施形態３の変形例に係る取り外し工程を表す側面図
【発明を実施するための形態】
【００３２】
＜実施形態１＞
図面を参照して、実施形態１に係る橋桁工事用装置１を用いた橋桁の架設方法および撤去方法について説明する。本実施形態では、鉄道の複線区間において、一方のレールＲ１から他方の線路Ｒ２（図２参照）に橋桁Ｇを架設する方法、および一方のレールＲ１において他方のレールＲ２から橋桁Ｇを撤去する方法、について説明する。以下、図１などの側面図および図２などの平面図において、図面の右側を前方とし、図面の左側を後方とする。
【００３３】
まず、橋桁工事用装置１の構成について説明する。橋桁工事用装置１は、架設位置Ｐ１（図１１参照）への橋桁Ｇの架設、または撤去位置からの橋桁の撤去を行うための装置である。なお、図１１において、参照符号Ｂ１は、一方のレールＲ１上に架けられた鉄橋Ｂ１を示しており、参照符号Ｂ２は、他方のレールＲ２上に架設工事中の鉄橋Ｂ２を示している。橋桁工事用装置１は、図１に示すように、運搬台車（運搬機構の一例）１０と、回転支持台（回転支持機構の一例）２０と、架設装置３０と、を備えている。
【００３４】
運搬台車１０は、積載物を運搬するための台車であり、図１に示す運搬台車１０上には、回転支持台２０、架設装置３０、橋桁Ｇが積載されている。本実施形態では、運搬台車１０は、既存のレールＲ１上を走行するようになっている。運搬台車１０の前方端部にはモーターカー１２が連結されており、運搬台車１０を含む橋桁工事用装置１は、このモーターカー１２によって牽引されるようになっている。モーターカー１２に牽引させることで、運搬台車１０を含む橋桁工事用装置１をレールＲ１に沿って前後方向に移動させることが可能となっている。
【００３５】
運搬台車１０上には、２つの橋桁Ｇが載置されている。これらの橋桁Ｇは、橋桁の架設工事において架設位置Ｐ１に架設される新設の橋桁Ｇ（橋桁の撤去工事の際には撤去位置から撤去された橋桁Ｇ）である。
【００３６】
また、運搬台車１０上には、回転支持台２０が載置されている。回転支持台２０は円柱状をなしており、上下方向に延びる軸線（図１及び図６に示す一点鎖線）周りに回転させることが可能となっている（図１に示す矢印参照）。回転支持台２０の上面および下面はいずれも平坦面とされており、回転支持台２０の上面には架設装置３０が載置されている。
【００３７】
架設装置３０は、水平方向に沿って梁状に延びる梁部３２と、梁部３２から下方に延びる一対の脚部３４Ａ，３４Ｂと、を備えており、全体として門形をなしている。このうち梁部３２が回転支持台２０の上面に載置されることで、架設装置３０の全体が回転支持台２０によって支持されている。なお、回転支持台２０は、架設装置３０を支持した状態でその上面を回転させることが可能となっている。
【００３８】
梁部３２は角柱状をなしており、運搬台車１０の運搬方向（レールＲ１の延びる方向）に沿って延びる向きで回転支持台２０の上面に載置されている。なお、梁部３２は、一方が偏った長さで回転支持台２０の上面に載置されている。梁部３２のうち、回転支持台２０からの長さが短い側の端部には、カウンターウエイト３６が設けられており、このカウンターウエイト３６によって梁部３２、および架設装置３０の全体の重心バランスが保たれている。
【００３９】
一対の脚部３４Ａ，３４Ｂは、それぞれ角柱状をなして下方に延びている。一対の脚部３４Ａ，３４Ｂのうち、一方の脚部３４Ｂ（回転支持台２０からの長さが長い側に設けられた脚部３４Ｂ）は、梁部３２の端部に設けられている。他方の脚部３４Ａ（回転支持台２０からの長さが短い側に設けられた脚部３４Ａ）は、梁部３２における回転支持台２０上に位置する部位とカウンターウエイト３６が設けられた部位との両部位からほぼ等距離となる位置に設けられている。
【００４０】
一対の脚部３４Ａ，３４Ｂは、それぞれ上下方向に伸縮可能となっている（昇降機構の一例）。具体的には、図８に示すように、各脚部３４Ａ，３４Ｂは、最も外側に位置する中空の第１脚部３４Ａ１，３４Ｂ１と、第１脚部３４Ａ１，３４Ｂ１よりも外周が一回り小さく、第１脚部３４Ａ１，３４Ｂ１内に収容される中空の第２脚部３４Ａ２，３４Ｂ２と、第２脚部３４Ａ２，３４Ｂ２よりも外周が一回り小さく、第２脚部３４Ａ２，３４Ｂ２内に収容される第３脚部３４Ａ３，３４Ｂ３と、から構成されている。各第３脚部３４Ａ３，３４Ｂ３の下端には、ローラ（設置部の一例）３５が設けられている。
【００４１】
架設装置３０では、図示しない油圧ポンプによって、各脚部３４Ａ，３４Ｂにおいて、第２脚部３４Ａ２，３４Ｂ２を第１脚部３４Ａ１，３４Ｂ１から出し入れ可能となっており、さらに、第３脚部３４Ａ３，３４Ｂ３を第２脚部３４Ａ２，３４Ｂ２から出し入れ可能となっている。このため、架設装置３０において油圧ポンプを制御することで、各脚部３４Ａ，３４Ｂを上下方向に自由に伸縮させることが可能となっている。なお、各脚部３４Ａ，３４Ｂが最大限に伸びた状態では、各脚部３４Ａ，３４Ｂの下端（ローラ３５が設けられた部位）は同じ高さとされる。
【００４２】
また上述したように、一対の脚部３４Ａ，３４Ｂには、その下端にそれぞれローラ３５が設けられている。このローラ３５は、梁部３２の延びる方向に沿った軸周りに回転可能とされている。ローラ３５は、後述する仮設レールＴＲ上に載置されることで、仮設レールＴＲに沿って移動できる構成とされている。
【００４３】
梁部３２上には、当該梁部３２の延びる方向に沿って図示しないトロリーレールが設けられている。トロリーレール上には、図８に示すようなトロリー３８（吊り下げ部材移動機構の一例）が載置されている。トロリー３８は、トロリーレールに沿って（梁部３２の延びる方向に沿って）梁部３２上を移動可能とされている。
【００４４】
トロリー３８上には、図１０に示すような吊り下げ部材４０（吊り下げ部の一例）を取り付けることが可能となっている。吊り下げ部材４０は、二股状をなすとともにトロリー３８上に取り付けられた状態で梁部３２を挟んで下方に延びる鋼棒４２と、鋼棒４２の下端に取り付けられたフック４４と、から構成されている。このフック４４には、架設される（撤去される）橋桁Ｇを吊り下げることが可能となっている。
【００４５】
以上が本実施形態に係る橋桁工事用装置１の構成であり、続いて橋桁工事用装置１を用いて橋桁Ｇを架設する方法について説明する。本実施形態に係る橋桁Ｇの架設方法では、図２に示すような複線の線路において、一方のレールＲ１（以下、上り線レールＲ１と称する）に沿って橋桁工事用装置１を運搬し、橋桁工事用装置１のうち架設装置３０を当該上り線レールＲ１と他方のレール（以下、下り線レールＲ２と称する）とに跨る形で設置する。次に、上り線レールＲ１に沿って運搬してきた橋桁Ｇを、設置した架設装置３０を用いて下り線レールＲ２側に移す。次に、下り線レールＲ２側に移した橋桁Ｇを、下り線レールＲ２の前方にある橋桁の架設位置Ｐ１に向かって架設装置３０を用いて下り線レールＲ２に沿って運搬する。次に、架設位置Ｐ１まで運搬した当該橋桁Ｇを、当該架設位置Ｐ１に架設装置３０を用いて架設する。以下、この橋桁Ｇの架設方法の工程について順を追って説明する。
【００４６】
本実施形態に係る橋桁工事用装置１の基地には、上り線レールＲ１から分岐する引き込み線（図示せず）が敷設されている。この引き込み線のレール上において、上記運搬台車１０上に上記回転支持台２０を載置して、さらに回転支持台２０の上面に上記架設装置３０を載置する。このとき、上記したように架設装置３０の梁部３２が運搬台車１０の運搬方向（引き込み線のレールの延びる方向）に沿って延びる向きとなるように、回転支持台２０の上面に架設装置３０を載置する。また、架設装置３０全体の重心バランスが保たれた状態で回転支持台２０に支持されるように、回転支持台２０の上面に架設装置３０を載置する。なお、運搬台車１０上に橋桁Ｇ等の他の部材を載置できるスペースが残っている場合は、当該他の部材を載せてもよい。本実施形態において運搬台車１０上には、架設装置３０を支持する回転支持台２０以外に２つの橋桁Ｇが載置されている（図１参照）。
【００４７】
次に、運搬台車１０の前方端部に上記モーターカー１２を連結し、運搬台車１０をモーターカー１２によって牽引することで、運搬台車１０を引き込み線のレールから上り線レールＲ１に沿って走行させる。そして、架設装置３０を載せた運搬台車１０を、図１及び図２に示すように、上り線レールＲ１に沿って下り線レールＲ２上にある橋桁の架設位置Ｐ１（図１１参照）の近く（作業現場の一例）まで搬入する（搬入工程の一例）。
【００４８】
なお、図２に示すように、橋桁の架設位置の近くには、上り線レールＲ１の外側と下り線レールＲ２の外側の各々に予め工事用の仮設レールＴＲを敷設しておく。仮設レールＴＲは、上記ローラ３５によって架設装置３０を上り線レールＲ１及び下り線レールＲ２に沿って走行させるためのレールである。仮設レールＴＲの間隔は、架設装置３０における一対の脚部３４Ａ，３４Ｂの間隔（一対のローラ３５，３５の間隔）と等しいものとする。
【００４９】
また、図３に示す二点鎖線ＬＬは、レールＲ１上に載置される鉄道や運搬台車１０の縦幅（上下方向の寸法）、横幅（左右方向の寸法）等の建築限界を示す建築限界線を表している。図３に示すように、回転支持台２０及び架設装置３０を載置した状態の運搬台車１０において、その縦幅、およびその横幅は、建築限界線ＬＬ内に収まるようになっている。
【００５０】
次に、運搬台車１０に載せられた回転支持台２０を反時計回りに９０°回転させることで、回転支持台２０に支持された架設装置３０を反時計回りに９０°回転させ（図２の矢印参照）、図６に示すように、仮設レールＴＲの直上に架設装置３０の一対のローラ３５，３５が位置した状態とする（回転工程の一例）。
【００５１】
次に、図６に示す状態から、架設装置３０の各脚部３４Ａ，３４Ｂにおいて、油圧ポンプを制御することで第１脚部３４Ａ１，３４Ｂ１から第２脚部３４Ａ２，３４Ｂ２を引き出し、図７に示すように、各脚部３４Ａ，３４Ｂの下端に設けられたローラ３５，３５を仮設レールＴＲ上に設置する（設置工程の一例）。これにより、架設装置３０が仮設レールＴＲ上に設置された状態となる。
【００５２】
次に、図７に示す状態から、架設装置３０の各脚部３４Ａ，３４Ｂにおいて、油圧ポンプを制御することで第２脚部３４Ａ２，３４Ｂ２からさらに第３脚部３４Ａ３，３４Ｂ３を引き出す。これにより、架設装置３０が脚部３４Ａ，３４Ｂによって仮設レールＴＲ上に支持されながら当該架設装置３０の全体が上方に持ち上げられ、図８に示すように、架設装置３０の梁部３２が回転支持台２０の上面から離間する（離間工程の一例）。
【００５３】
架設装置３０が回転支持台２０から離間することで、架設装置３０の梁部３２は、運搬台車１０に載置された回転支持台２０の上面よりも上方に位置することとなる。このため、架設装置３０が回転支持台２０から離間することで、架設装置３０を仮設レールＴＲに沿ってモーターカー１２の後方において自由に走行させることが可能となる。また、回転支持台２０を載せた運搬台車１０を架設装置３０から離れて上り線レールＲ１に沿って前方へ走行させることが可能となる。
【００５４】
架設装置３０を回転支持台２０から離間させると、次に、梁部３２が運搬台車１０上に載せられた橋桁Ｇの直上となる位置まで、架設装置３０を仮設レールＴＲに沿って前方へ移動させる（図９に示す状態）。または、運搬台車１０上に載せられた橋桁Ｇが架設装置３０の梁部３２の直下となる位置まで、運搬台車１０を上り線レールＲ１に沿って後方へ移動させる（図１２に示す状態）。次に、梁部３２上に配されたトロリー３８に上記吊り下げ部材４０を取り付ける。そして、橋桁Ｇを架設される際の向きと同じ向きにして吊り下げ部材４０のフック４４に吊り下げる（吊り下げ工程の一例）。
【００５５】
橋桁Ｇを吊り下げ部材４０のフック４４に吊り下げると、トロリー３８を梁部３２に沿って上り線レールＲ１の上方から下り線レールＲ２の上方へと移動させる（図１０に示す状態）（吊り下げ部移動工程の一例）。次に、モーターカー１２を、運搬台車１０と共に、または運搬台車１０から切り離して、橋桁の架設位置Ｐ１よりも前方へ移動させる。次に、吊り下げ部材４０に橋桁Ｇを吊り下げた状態で架設装置３０を仮設レールＴＲに沿って橋桁の架設位置Ｐ１まで移動させる（図１１に示す状態）。
【００５６】
橋桁Ｇを架設装置３０によって橋桁の架設位置Ｐまで運搬すると、橋桁Ｇを吊り下げ部材４０のフック４４から取り外し（取り外し工程の一例）、その橋桁Ｇを架設工事中の鉄橋Ｂ１の架設位置Ｐ１に架設する。以上の工程によって、橋桁工事用装置１を用いて橋桁の架設位置Ｐ１に橋桁Ｇを架設することができる。
【００５７】
ここで、架設すべき別の橋桁Ｇが積まれている運搬台車１０がモーターカー１２に牽引されて鉄橋Ｂ１よりも前方へ位置している場合、橋桁Ｇを架設位置Ｐ１に架設した後、その運搬台車１０まで架設装置３０を仮設レールＴＲ上に沿って前方へ移動させる。一方、架設すべき別の橋桁Ｇが積まれている運搬台車１０がモーターカー１２から切り離されて鉄橋Ｂ１よりも後方へ停車している場合、橋桁Ｇを架設位置Ｐ１に架設した後、その運搬台車１０まで架設装置３０を仮設レールＴＲ上に沿って後方へ移動させる。
【００５８】
架設装置３０を運搬台車１０まで移動させると、架設すべき別の橋桁Ｇに対して、架設装置３０を設置した後における上記と同様の手順（橋桁Ｇを吊り下げ、橋桁Ｇを梁部３２に沿って移動、架設装置３０を架設位置Ｐ１まで移動、橋桁Ｇを架設位置Ｐ１に架設）を行うことで、架設工事中の橋桁Ｂ２の架設位置Ｐ１に架設すべき別の橋桁Ｇを架設する。これらの手順を繰り返すことにより、架設工事中の鉄橋Ｂ２を完成させることができる。
【００５９】
以上のように本実施形態に係る橋桁Ｇの架設方法では、橋桁工事用装置１を用いて門形の架設装置３０を設置することで、門形の架設装置３０の直下に運搬台車１０を搬入することができる。これにより、設置された架設装置３０の直下に橋桁Ｇ等を積載した運搬台車を複数回搬入させることができ、橋桁工事用装置１を用いて架設装置３０を一旦設置するのみで、その架設装置３０によって複数の橋桁Ｇを架設することができる。その結果、橋桁Ｇの架設作業に伴う作業時間を短縮することができる。さらに、上記の橋桁Ｇの架設方法では、架設装置３０を運搬台車１０によって架設位置Ｐ１の近くまで搬入する際には、梁部３２が運搬台車１０の運搬方向に沿って（上り線レールＲ１に沿って）延びる向きとされた状態で架設装置３０が搬入される。そして、架設装置３０を設置する際には、回転支持台２０を回転させることで、積載された架設装置３０の梁部３２を運搬台車の運搬方向と直交する方向に延びる向きとし、その後、架設装置３０の脚部３４Ａ，３４Ｂを伸ばすことで架設装置３０を設置する。このため、門形とされた架設装置３０を運搬台車１０によって架設位置Ｐ１の近くまで搬入する際に、架設装置３０の側方や下方が他の障害物と接触し難いものとなる。この結果、架設装置３０の運搬を容易に行うことができ、架設装置３０の運搬作業に伴う作業時間を短縮することもできる。以上のように、本実施形態に係る橋桁Ｇの架設方法では、橋桁工事用装置１を用いて門形の架設装置３０を設置することで、現場での作業時間を短縮することができる。
【００６０】
また、本実施形態に係る橋桁Ｇの架設方法では、一対の脚部３４Ａ，３４Ｂの下端にそれぞれローラ３５，３５が設けられている。そして、運搬台車１０の運搬方向に沿って敷設された仮設レールＴＲ上にローラ３５，３５を設置することで、設置された架設装置３０をローラ３５によって仮設レールＴＲ上で移動可能となっている。このため、設置された架設装置３０の吊り下げ部材４０に橋桁Ｇを吊り下げた状態で、その架設装置３０を仮設レールＴＲに沿って移動させることができ、複数の橋桁Ｇを架設する作業を効率的に行うことができる。これにより、現場での作業時間を一層短縮することができる。
【００６１】
また、本実施形態に係る橋桁Ｇの架設方法では、架設装置３０は、梁部３２上に配され、梁部３２の延びる方向に沿って吊り下げ部材４０を移動可能とするトロリー３８を有している。そして、梁部３２を回転支持台１０から離間させた後に、トロリー３８を可動させて吊り下げ部材４０を運搬台車１０の側方に移動させる。このため、設置された架設装置３０の吊り下げ部材４０に橋桁Ｇを吊り下げた状態で、その吊り下げられた橋桁Ｇをトロリー３８によって側方に移動させることができ。その結果、本実施形態のように複線とされたレールＲ１，Ｒ２上に橋桁Ｇを架設する場合であっても、複数の橋桁Ｇを架設する作業を効率的に行うことができる。これにより、現場での作業時間を一層短縮することができる。
【００６２】
また、本実施形態に係る橋桁Ｇの架設方法では、一対の脚部３４Ａ，３４Ｂが上下方向に伸縮する機構とされている。このため、一対の脚部３４Ａ，３４Ｂの伸びる長さを調節することで、梁部３２を運搬台車１０に積載された回転支持台２０の上面よりも高いものとすることができる。これにより、例えば運搬台車１０に積載された回転支持台２０の上面よりも高い高さとされたモーターカー１２を門形の架設装置３０の下に通過させることができる。その結果、橋桁Ｇの架設作業を一層効率的に行うことができ、現場での作業時間を一層短縮することができる。
【００６３】
なお、橋桁を吊り下げ及び取り外しを行うために本実施形態のような門形の装置を用いる場合、橋桁の吊り下げ及び取り外しができるように、橋桁を吊り下げるためのチェーン等を当該門形の装置に設け、さらに、そのチェーン自体を昇降させることができるようなクレーン機構を門形の装置に設けることがある。この点、本実施形態では、一対の脚部３４Ａ，３４Ｂが上下方向に伸縮することによって架設装置３０の梁部３２の全体が上下方向に昇降するため、クレーン機構を設けなくとも、橋桁Ｇの吊り下げ及び取り外しを行うことができる。
【００６４】
続いて、橋桁工事用装置１を用いて橋桁Ｇを撤去する方法について説明する。この撤去方法は、基本的には上記した架設方法と同様の手順を行う。なお、撤去方法の説明では、架設方法の説明に用いた図面を使って説明し、架設方法と重複する部分については説明を省略、または簡略化する。
【００６５】
橋桁Ｇの撤去方法では、まず、上り線レールＲ１から分岐する引き込み線のレール上において、運搬台車１０上に回転支持台２０及び架設装置３０を載置して、モーターカー１２で運搬台車１０を牽引することで、運搬台車１０を橋桁の撤去位置の近く（作業現場の一例）まで搬入する、または運搬台車１０を橋桁の撤去位置の側方まで搬入する（搬入工程の一例）。
【００６６】
次に、運搬台車１０に載せられた回転支持台を９０°回転させることで、回転支持台２０に支持された架設装置を９０°回転させる（図２の矢印参照、回転工程の一例）。次に、架設装置３０の各脚部３４Ａ，３４Ｂにおいて、第１脚部３４Ａ１，３４Ｂ１から第２脚部３４Ａ２，３４Ｂ２を引き出し、図７に示すように、ローラ３５，３５を仮設レールＴＲ上に設置する（設置工程の一例）。
【００６７】
次に、図７に示す状態から、架設装置３０の各脚部３４Ａ，３４Ｂにおいて、第２脚部３４Ａ２，３４Ｂ２からさらに第３脚部３４Ａ３，３４Ｂ３を引き出し、図８に示すように、架設装置３０の梁部３２を回転支持台２０の上面から離間させる（離間工程の一例）。
【００６８】
ここで、上記搬入工程において運搬台車１０を橋桁の撤去位置の近くまで搬入した場合、次に、運搬台車１０を牽引するモーターカー１２を撤去工事中の鉄橋よりも前方へ移動させた後、梁部３２が撤去対象の橋桁Ｇの直上となる位置まで、架設装置３０を仮設レールＴＲに沿って移動させる。次に、梁部３２上のトロリー３８に上記吊り下げ部材４０を取り付け、トロリー３８を梁部３２に沿って撤去する橋桁Ｇの上方まで移動させ、撤去する橋桁Ｇを吊り下げ部材４０のフック４４に吊り下げる（吊り下げ工程の一例）。
【００６９】
橋桁Ｇを吊り下げ部材４０のフック４４に吊り下げると、トロリー３８を梁部３２に沿って下り線レールＲ２の上方から上り線レールＲ１の上方へと移動させる（吊り下げ部移動工程の一例）。ここで、運搬台車１０が撤去工事中の鉄橋よりも前方に位置する場合、次に、吊り下げ部材４０に橋桁Ｇを吊り下げた状態で架設装置３０を仮設レールＴＲに沿って運搬台車１０上に移動させる。一方、運搬台車１０が橋桁の撤去位置の側方に位置している場合は、トロリー３８を上り線レールＲ１上へ移動させることで、フック４４に吊り下げられた橋桁Ｇが運搬台車１０上に位置した状態となる。
【００７０】
撤去した橋桁Ｇを運搬台車１０上に位置した状態とすると、橋桁Ｇを吊り下げ部材４０から取り外し（取り外し工程の一例）、その橋桁Ｇを運搬台車１０上に載せる。その後、運搬台車１０上に載せた橋桁Ｇをモーターカー１２で牽引する運搬台車１０によって上り線レールＲ１に沿って図示しない回収位置まで運搬し、回収する。以上の工程によって、橋桁工事用装置１を用いて橋桁の撤去位置から橋桁Ｇを撤去することができる。
【００７１】
橋桁Ｇを撤去位置から撤去すると、架設装置３０を仮設レールＴＲ上に沿って撤去する別の橋桁Ｇの上方まで移動させる。そして、撤去する別の橋桁Ｇに対して、架設装置３０を設置した後における上記と同様の手順（架設装置３０を撤去位置まで移動、吊り下げ部材４０を梁部32に沿って撤去位置まで移動、橋桁Ｇを撤去位置から吊り下げることで撤去）を行うことで、撤去工事中の橋桁の撤去位置から別の橋桁Ｇを撤去する。これらの手順を繰り返すことにより、撤去工事中の鉄橋から橋桁Ｇを完全に撤去させることができる。
【００７２】
以上のように本実施形態に係る橋桁Ｇの撤去方法では、橋桁工事用装置１を用いて門形の架設装置３０を設置することで、門形の架設装置３０の直下に運搬台車１０を搬入することができる。これにより、設置された架設装置３０の直下に橋桁Ｇ等を積載した運搬台車を複数回搬入させることができ、橋桁工事用装置１を用いて架設装置３０を一旦設置するのみで、その架設装置３０によって複数の橋桁Ｇを撤去することができる。その結果、橋桁Ｇの撤去作業に伴う作業時間を短縮することができる。さらに、上記の橋桁Ｇの撤去方法では、架設装置３０を運搬台車１０によって撤去位置の近くまで搬入する際には、梁部３２が運搬台車１０の運搬方向に沿って（上り線レールＲ１に沿って）延びる向きとされた状態で架設装置３０が搬入される。そして、架設装置３０を設置する際には、回転支持台２０を回転させることで、積載された架設装置３０の梁部３２を運搬台車の運搬方向と直交する方向に延びる向きとし、その後、架設装置３０の脚部３４Ａ，３４Ｂを伸ばすことで架設装置３０を設置する。このため、門形とされた架設装置３０を運搬台車１０によって撤去位置の近くまで搬入する際に、架設装置３０の側方や下方が他の障害物と接触し難いものとなる。この結果、架設装置３０の運搬を容易に行うことができ、架設装置３０の運搬作業に伴う作業時間を短縮することもできる。以上のように、本実施形態に係る橋桁Ｇの撤去方法では、橋桁工事用装置１を用いて門形の架設装置３０を設置することで、現場での作業時間を短縮することができる。
【００７３】
また、本実施形態に係る橋桁Ｇの撤去方法では、一対の脚部３４Ａ，３４Ｂの下端にそれぞれローラ３５，３５が設けられている。そして、運搬台車１０の運搬方向に沿って敷設された仮設レールＴＲ上にローラ３５，３５を設置することで、設置された架設装置３０をローラ３５によって仮設レールＴＲ上で移動可能となっている。このため、設置された架設装置３０の吊り下げ部材４０に橋桁Ｇを吊り下げた状態で、その架設装置３０を仮設レールＴＲに沿って移動させることができ、複数の橋桁Ｇを撤去する作業を効率的に行うことができる。これにより、現場での作業時間を一層短縮することができる。
【００７４】
また、本実施形態に係る橋桁Ｇの撤去方法では、架設装置３０は、梁部３２上に配され、梁部３２の延びる方向に沿って吊り下げ部材４０を移動可能とするトロリー３８を有している。そして、梁部３２を回転支持台１０から離間させた後に、トロリー３８を可動させて吊り下げ部材４０を運搬台車１０の側方に移動させる。このため、設置された架設装置３０の吊り下げ部材４０に橋桁Ｇを吊り下げた状態で、その吊り下げられた橋桁Ｇをトロリー３８によって側方に移動させることができ。その結果、本実施形態のように複線とされたレールＲ１，Ｒ２上から橋桁Ｇを撤去する場合であっても、複数の橋桁Ｇを撤去する作業を効率的に行うことができる。これにより、現場での作業時間を一層短縮することができる。
【００７５】
また、本実施形態に係る橋桁Ｇの撤去方法では、一対の脚部３４Ａ，３４Ｂが上下方向に伸縮する機構とされている。このため、一対の脚部３４Ａ，３４Ｂの伸びる長さを調節することで、梁部３２を運搬台車１０に積載された回転支持台２０の上面よりも高いものとすることができる。これにより、例えば運搬台車１０に積載された回転支持台２０の上面よりも高い高さとされたモーターカー１２を門形の架設装置３０の下に通過させることができる。その結果、橋桁Ｇの撤去作業を一層効率的に行うことができ、現場での作業時間を一層短縮することができる。
【００７６】
＜実施形態２＞
続いて、図面を参照して実施形態２に係る橋桁Ｇの架設方法について説明する。なお、この架設方法に用いる橋桁工事用装置１の構成は実施形態１と同様であるため、説明を省略する。また、実施形態１と重複する部分については説明を省略、または簡略化する。
【００７７】
本実施形態に係る橋桁Ｇの架設方法では、図１３に示すような下路桁５０内に上り線レールＲ１が敷設された鉄橋Ｂ３から、同様の下路桁５０を備える橋桁Ｇの架設工事中の鉄橋Ｂ４に対して橋桁Ｇを架設する方法を例示する。なお、鉄橋Ｂ３の下路桁５０における外側の外枠上と架設工事中の鉄橋Ｂ４下路桁５０における外側の外枠上には、それぞれ実施形態１で説明した構成と同様の仮設レールＴＲが敷設されている（図１５参照）。
【００７８】
本方法では、実施形態１と同様に、まず、引き込み線のレール上において、運搬台車１０上に回転支持台２０を載置して、さらに回転支持台２０の上面に架設装置３０を載置する。そして、架設装置３０を載せた運搬台車１０をモーターカー１２で牽引することによって、図１３に示すように、鉄橋Ｂ３上であって鉄橋Ｂ４における橋桁Ｇの架設位置Ｐ２（図１５参照）の側方まで運搬台車１０を搬入する（搬入工程の一例）。
【００７９】
次に、運搬台車１０に載せられた回転支持台２０を反時計回りに９０°回転させることで、図１４に示すように、回転支持台２０に支持された架設装置３０を反時計回りに９０°回転させる（図２の矢印参照）（回転工程の一例）。
【００８０】
次に、架設装置３０の各脚部３４Ａ，３４Ｂにおいて、第１脚部３４Ａ１，３４Ｂ１から第２脚部３４Ａ２，３４Ｂ２を引き出し、各脚部３４Ａ，３４Ｂの下端に設けられたローラ３５，３５を仮設レールＴＲ上に設置するとともに（設置工程の一例）、架設装置３０の梁部３２を回転支持台２０から離間させる（離間工程の一例）。なお、本実施形態では、仮設レールＴＲが下路桁５０の外枠上に敷設されていることで、実施形態１の態様と比べて仮設レールＴＲが上り線レールＲ１から上方に大きく離れて位置しているため、第２脚部３４Ａ２，３４Ｂ２を引き出すのみで、架設装置３０の梁部３２を回転支持台２０の上方に持ち上げることができる。
【００８１】
次に、運搬台車１０上に載せられた橋桁Ｇが設置された架設装置３０の梁部３２の直下となる位置まで、運搬台車１０を後方へ移動させる。そして、トロリー３８に吊り下げ部材４０を取り付けて吊り下げ部材４０のフック４４に橋桁Ｇを吊り下げ（吊り下げ工程の一例）、トロリー３８を梁部３２に沿って移動させる（図１５に示す状態）（吊り下げ部移動工程の一例）。
【００８２】
次に、橋桁Ｇを吊り下げ部材４０のフック４４から取り外し（取り外し工程の一例）、その橋桁Ｇを架設工事中の鉄橋Ｂ４における橋桁の架設位置Ｐ２に架設する。以上の工程によって、橋桁工事用装置１を用いて鉄橋Ｂ４における橋桁の架設位置Ｐ２に橋桁Ｇを架設することができる。このように、本実施形態に係る方法では、仮設レールＴＲ上に設置された架設装置３０を移動させることなく橋桁Ｇを架設位置Ｐ２に架設することができる。このため、上記のような仮設レールＴＲを設けなくとも、架設装置３０を設置するための足場を下路桁５０上に設けるだけで、橋桁Ｇを架設位置Ｐ２に架設することができる。
【００８３】
なお、本実施形態では、架設装置３０を仮設レールＴＲ上に設置した状態において、第２脚部３４Ａ２，３４Ｂ２からさらに第３脚部３４Ａ３，３４Ｂ３を引き出すことで、梁部３２をさらに上方へ持ち上げることができる。これにより、架設装置３０の梁部３２を例えばモーターカー１２の車高よりも高い位置に配することができる。この場合、運搬台車１０を牽引するモーターカー１３自体を、設置された架設装置３０の下に通り抜けさせることができる。この結果、橋桁の架設作業および撤去作業を一層効率よく行うことができ、作業時間を一層短縮することができる。
【００８４】
＜実施形態３＞
続いて、図面を参照して実施形態３に係る橋桁Ｇの架設方法について説明する。この架設方法では、実施形態１及び２で例示した橋桁Ｇが複数連結された大型の橋桁ＬＧ（以下、大型橋桁ＬＧと称する）を架設位置に架設する方法について例示する。
【００８５】
本方法では、実施形態１で説明した搬入工程から設置工程までの手順と同様の手順によって、予め上り線レールＲ１上に２つの架設装置３０Ａ，３０Ｂを設置しておく。次に、引き込み線のレール上において、実施形態１、２で例示したものよりも小さな２つの運搬台車１１０、１１０を用意し、その２つの運搬台車１１０、１１０上に大型橋桁ＬＧを跨った状態で載置する。そして、大型橋桁ＬＧが載せられた２つの運搬台車１１０、１１０を設置された２つの架設装置３０Ａ，３０Ｂの前方から後方に向かって架設装置３０Ａ，３０Ｂの近くまで移動させる。これにより、図１６に示すように、大型橋桁ＬＧを下り線レールＲ２上に位置する橋桁の架設位置の側方まで搬入する（搬入工程の一例）。
【００８６】
次に、予め設置しておいた２つの架設装置３０Ａ，３０Ｂのうち一方の架設装置３０Ａを運搬台車１１０、１１０上に載せられた大型橋桁ＬＧの前方端部まで移動させ、他方の架設装置３０Ｂを大型橋桁ＬＧの後方端部まで移動させる（図１７に示す状態）。このとき、設置された２つの架設装置３０Ａ，３０Ｂの梁部３２は、大型橋桁ＬＧよりも上方に位置しているので、各架設装置３０Ａ，３０Ｂを、運搬台車１１０、１１０上に載せられた大型橋桁ＬＧの上を通過させることができる。
【００８７】
次に、実施形態１で説明した手順と同様の手順によって、一方の架設装置３０Ａのトロリー３８に取り付けられた吊り下げ部材４０に大型橋桁ＬＧの前方端部を、他方の架設装置３０Ｂのトロリー３８に取り付けられた吊り下げ部材４０に大型橋桁ＬＧの後方端部を、それぞれ吊り下げ（吊り下げ工程の一例）、大型橋桁ＬＧが２つの架設装置３０Ａ，３０Ｂによって支持された状態とする。
【００８８】
次に、各架設装置３０Ａ，３０Ｂのトロリー３８をそれぞれ梁部３２に沿って同時に移動させることで、各吊り下げ部材４０，４０に吊り下げられた大型橋桁ＬＧを橋桁の架設位置Ｐ３の上方まで移動させる（吊り下げ部移動工程の一例）。次に、大型橋桁ＬＧを各吊り下げ部材４０，４０から取り外し（取り外し工程の一例）、橋桁の架設位置Ｐ３に架設する（図１８に示す状態）。
【００８９】
以上の工程によって、橋桁の架設位置Ｐ３に大型橋桁ＬＧを架設することができる。このように、複数の架設装置３０Ａ，３０Ｂ、及び複数の運搬台車１１０，１１０を用いることで、大型の橋桁であっても容易に架設位置Ｐ３に架設することが可能となる。
【００９０】
＜実施形態３の変形例＞
続いて実施形態３の変形例について図１９を参照して説明する。この変形例では、線路が実施形態１〜３で説明したような複線ではなく単線である場合に、その単線レールＲ３上に設けられた橋桁の架設位置Ｐ４（図１９参照）に上記大型橋桁ＬＧを架設する架設方法を例示する。なお、この架設方法では、単線レールＲ３の両側に予め仮設レールＴＲを敷設する。従って、仮設レールＴＲ上に設置される架設装置３０Ａ，３０Ｂにおいて各脚部３４Ａ，３４Ｂ間の距離は、単線レールＲ３の両側に位置する仮設レールＴＲの幅に等しいものとする。
【００９１】
この変形例では、実施形態３で説明した手順と同様の手順によって大型橋桁ＬＧを２つの架設装置３０Ａ，３０Ｂによって吊り下げた後、大型橋桁ＬＧを載せてきた運搬台車１１０，１１０を橋桁の架設位置Ｐ４よりも前方へ移動させ、大型橋桁ＬＧを吊り下げた状態の２つの架設装置３０Ａ，３０Ｂを仮設レールＴＲに沿って橋桁の架設位置Ｐ４まで移動させる。次に、各架設装置３０Ａ，３０Ｂから大型橋桁ＬＧを取り外し（取り外し工程の一例）、橋桁の架設位置Ｐ４に架設する（図１９に示す状態）。
【００９２】
以上の工程によって、橋桁の架設位置Ｐ４に大型橋桁ＬＧを架設することができる。このように、橋桁を吊り下げた状態の架設装置３０Ａ，３０Ｂを仮設レールＴＲに沿って移動させることで、線路が単線の場合であっても架設装置３０を用いて架設位置Ｐ４に橋桁を架設することが可能となる。
【００９３】
＜他の実施形態＞
本発明は上記既述及び図面によって説明した実施形態に限定されるものではなく、例えば次のような実施形態も本発明の技術的範囲に含まれる。
（１）上記の各実施形態では、架設装置において脚部が上下方向に伸縮することで梁部を上下方向に移動させる構成を例示したが、梁部を上下方向に移動させるための構成は限定されない。例えば、回転支持台が上下に伸縮することで、回転支持台に載置された架設装置の梁部を上下方向に移動させる構成であってもよい。この場合、回転支持台を縮めることで架設装置を設置し、回転支持台をさらに縮めることで架設装置の梁部を回転支持台の上面から離間させることができる。
【００９４】
（２）上記の各実施形態では、橋桁の架設作業または撤去作業を、２本の複線または単線のレール上で行う態様について例示したが、３本以上の複線からなるレール上で行ってもよい。この場合、架設装置における梁部の長さ（一対の脚部間の距離）について、全てのレールを跨った形で架設装置を設置できるような長さ（距離）とすることが好ましい。
【００９５】
（３）上記の各実施形態では、設置部がローラとされ、そのローラを仮設レール上に設置する態様について例示したが、設置部の構成及び架設装置を設置するための足場の構成については限定されない。架設装置を設置させた後、架設装置を移動させる必要がない場合（実施形態２参照）は、設置部をローラとしなくてもよい。または、仮設レールを敷設することなく架設装置を設置してもよい。この場合、設置した架設装置がレール面に対して平行となるように架設装置の設置部を平坦な面上に設置することが好ましい。
【００９６】
（４）上記の各実施形態では、モーターカーによって運搬台車を牽引する態様について例示したが、モーターカー以外の機構によって運搬台車を牽引してもよい。または、運搬台車が自走可能な構成を備えていてもよい。
【００９７】
（５）上記の各実施形態では、架設装置の吊り下げ部材が鋼棒とフックによって構成され、架設装置の全体を上下に昇降されることによって橋桁の吊り下げおよび取り外しを可能とする構成を例示したが、吊り下げ部材にクレーン機構が設けられることで吊り下げ部材自体が上下に昇降する構成であってもよい。
【００９８】
（６）上記の各実施形態では、一対の脚部のうち、一方が梁部の端部に設けられ、他方が梁部における回転支持台上に位置する部位とカウンターウエイトが設けられた部位との両部位からほぼ等距離となる位置に設けられた構成を例示したが、梁部において一対の脚部が設けられる位置は限定されない。
【００９９】
（７）上記の各実施形態では、吊り下げ部材が梁部を挟んで二股状に下方に延びる鋼棒を有する構成を例示したが、吊り下げ部材の構成は限定されない。例えば、梁部の幅方向の中央位置に梁部の延びる方向に沿って細長く延びる貫通孔が設けられ、吊り下げ部材が当該貫通孔を貫通して下方に延びる鋼棒を有する構成とされていてもよい。
【０１００】
（８）上記の各実施形態以外にも、架設装置の構成については、適宜に変更可能である。
【０１０１】
（９）上記の各実施形態以外にも、回転支持台の構成については、適宜に変更可能である。
【０１０２】
（１０）上記の各実施形態以外にも、橋桁工事用装置を用いて架設または撤去する橋桁の大きさ、運搬台車の長さ等については、適宜に変更可能である。
【０１０３】
以上、本発明の実施形態について詳細に説明したが、これらは例示に過ぎず、特許請求の範囲を限定するものではない。特許請求の範囲に記載の技術には、以上に例示した具体例を様々に変形、変更したものが含まれる。
【０１０４】
また、本明細書または図面に説明した技術要素は、単独であるいは各種の組合せによって技術的有用性を発揮するものであり、出願時の請求項に記載の組合せに限定されるものではない。また、本明細書または図面に例示した技術は複数目的を同時に達成し得るものであり、そのうちの一つの目的を達成すること自体で技術的有用性を持つものである。
【符号の説明】
【０１０５】
１…橋桁工事用装置
１０、１１０…運搬台車
１２…モーターカー
２０…回転支持台
３０、３０Ａ、３０Ｂ…架設装置
３２…梁部
３４Ａ、３４Ｂ…（一対の）脚部
４０…吊り下げ部材
Ｇ…橋桁
ＬＧ…大型橋桁
Ｐ１、Ｐ２、Ｐ３、Ｐ４…（橋桁の）架設位置
Ｒ１…上り線レール
Ｒ２…下り線レール
Ｒ３…単線レール
ＴＲ…仮設レール
【図１】
2014190107.tif 000003
【図２】
2014190107.tif 000004
【図３】
2014190107.tif 000005
【図４】
2014190107.tif 000006
【図５】
2014190107.tif 000007
【図６】
2014190107.tif 000008
【図７】
2014190107.tif 000009
【図８】
2014190107.tif 000010
【図９】
2014190107.tif 000011
【図１０】
2014190107.tif 000012
【図１１】
2014190107.tif 000013
【図１２】
2014190107.tif 000014
【図１３】
2014190107.tif 000015
【図１４】
2014190107.tif 000016
【図１５】
2014190107.tif 000017
【図１６】
2014190107.tif 000018
【図１７】
2014190107.tif 000019
【図１８】
2014190107.tif 000020
【図１９】
2014190107.tif 000021